(57)【要約】【課題】狭い場所でも、ボルト・ナットを巻き締めることのできる回転止め治具と、このボルト回転止め治具を使用してボルトを巻き締める締付方法及び建物の施工方法を提供すること。【解決手段】ボルト固定部材５と係止部材６と駆動部材７とからなるボルト回転止め治具Ｍである。ボルト固定部材５の先端部にボルト４の頭またはナットを固定する固定部５１を設ける。係止部材６の前部に係止部６２を設け、この係止部材６を固定ボルト固定部材５に前後方向に移動可能に取り付ける。駆動部材７は係止部材６の係止部材６を固定ボルト固定部材５の前後方向に移動させるものである。そして、ボルトの頭またはナットにボルト固定部材５の固定部５１を取り付け、駆動部材７で係止部材６をボルト固定部材５の先端方向又はその逆方向に移動させると係止部材５の係止部６２が接続する板体に係止されて、係止部材５が落下せず、且つ、ボルトの頭またはナットが回転不能になる。【選択図】  図５
2004268174.tif 000002
【特許請求の範囲】
【請求項１】
ボルト固定部材と係止部材と駆動部材とからなるボルト回転止め治具であって、前記ボルト固定部材には、先端部にボルトの頭またはナットを固定する固定部が設けられ、前記係止部材には、前部に係止部が設けられ、この係止部材がボルト固定部材に前後方向に移動可能に取り付けられ、前記駆動部材は、係止部材をボルト固定部材の前後方向に移動させるものであって、接続する板体に取り付けられたボルトの頭またはナットにボルト固定部材の固定部を取り付け、駆動部材で係止部材をボルト固定部材の先端方向又はその逆方向にに移動させたときに係止部材の係止部が接続する板体に係止されて、係止部材が落下せず、且つ、ボルトの頭またはナットが回転不能に固定される構造になされていることを特徴とするボルト回転止め治具。
【請求項２】
ボルト固定部材と係止部材と駆動部材とからなるボルト回転止め治具であって、前記ボルト固定部材は、棒状部と、この棒状部の先端部に設けられた固定部と、棒状部の後部に設けられたネジ孔とからなり、この固定部は、ボルトの頭またはナットに嵌合する多角形の通孔であり、前記係止部材は、筒部と、この筒部の前部に設けられた係止爪と、筒部の後部に設けられた押さえ部とからなり、前記駆動部材は、外周面にボルト固定部材のネジ孔に螺合する雄ネジを有する棒状の駆動部材本体と、この駆動部材本体の後部に設けられたハンドルとからなり、ボルト固定部材の棒状部が係止部材の筒部の中にボルト固定部材の前後方向に移動可能に挿入され、駆動部材本体がボルト固定部材のネジ孔に螺入出自在に螺合されていて、接続する板体に取り付けられたボルトの頭またはナットにボルト固定部材の固定部を取り付け、ハンドルを回転させて駆動部材本体をボルト固定部材の先端方向に移動させたときに、この駆動部材本体の先端が係止部材の押さえ部を押し、押された係止部材の係止爪が接続する板体に係止されて、係止部材が落下せず、且つ、ボルトの頭またはナットが回転不能に固定される構造になされていることを特徴とするボルト回転止め治具。
【請求項３】
通孔を有する複数枚の接続する板体を通孔が連通する状態に重合し、この複数枚の板体の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を板体に係止し、反対側のナットまたはボルトの頭を回転具で回転させてボルトを巻き締めることを特徴とするボルトの締付方法。
【請求項４】
床面材と天井面材が取り付けられた建物ユニットを上下に据え付け、上階の建物ユニットの床梁と下階の建物ユニットの天井梁とを連結する建物の施工方法であって、前記建物ユニットの上階の床梁と下階の天井梁には、据え付けたときに対峙する位置に通孔が設けられ、この通孔近傍の床面材または天井面材には、貫通孔が設けられていて、下階の建物ユニットの上に上階の建物ユニットを据え付け、床面材または天井面材の貫通孔からボルトとナットを挿入して床梁と天井梁の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を床梁または天井梁の縁部に係止し、反対側のナットまたはボルトの頭を回転具で回転させてボルトを巻き締めることを特徴とする建物の施工方法。
【発明の詳細な説明】
【０００１】
【発明の属する技術分野】
この発明は、ボルト回転止め治具と、このボルト回転止め治具を使用してボルトを巻き締めるボルトの締付方法及び建物の施工方法に関する。
特に、狭い場所でボルトにナットを螺入して巻き締めるのに好適なボルト回転止め治具と、このボルト回転止め治具を使用してボルトを巻き締めるボルトの締付方法及び建物の施工方法に関する。
【０００２】
【従来の技術】
ユニット建物は、運搬可能な一定の大きさの箱形の、且つ、内部、外部の仕上げられた建物ユニットと屋根ユニット・屋根パネルを、予め、工場で製造し、この建物ユニットや屋根ユニット・屋根パネルの複数個を施工現場に運搬し、施工現場で組み立てて建物となすものであって、現場施工期間が短く、且つ、寸法精度の良い標準化された建物となる特徴があることから、近年、広く採用されている。
【０００３】
この建物ユニットと建物ユニットとを連結する方法としては、特許文献１に記載されている方法が知られている。
この特許文献１に記載されている建物ユニットの連結方法は、建物ユニットの周壁の床部分の下方四周に溝型鋼を設置し、また、上方の四周にも溝型鋼を設置して、隣接する建物ユニットの相互に接する溝型鋼に相互に合致するボルト孔あるいはボルトを設け、現地において、各建物ユニットを並べて設置し、前記溝型鋼のボルト孔とボルトを利用して連結する方法である。
【０００４】
一方、建物ユニットには種々な構造が知られているが、特許文献２に記載されているものが多い。
この特許文献２に記載されている建物ユニットは、矩形状の四隅に配置した４本の鋼製四角筒状体の柱と、この４本の柱の上端部を矩形状の辺に沿って連結した鋼製断面コ字形長尺体の天井梁と、この４本の柱の下端部を矩形状の辺に沿って連結した鋼製断面コ字形長尺体の床梁とからなる骨格を備えている。
【０００５】
そして、この骨格の相対する天井梁に天井野縁を差し渡し、この天井野縁の下面に天井面材を取り付けて天井を形成し、相対する床梁に床小梁を差し渡し、この床小梁の上に床根太を取り付け、この床根太の上に床面材を取り付けて床を形成したものである。
この建物ユニットは工場で製造し、この複数個の建物ユニットを施工現場に運搬し、施工現場で据え付け、相互に接続して組み立てるのであるが、この際の建物ユニットを接続する構造としては、特許文献３に記載されている構造が知られている。
【０００６】
この特許文献３に記載されている建物ユニットの連結構造は、対峙する床梁の断面コ字形のウエッブ同士や天井梁の断面コ字形のウエッブ同士をボルト・ナットで接続し、下階の建物ユニットの断面コ字形長尺体の天井梁の上側フランジと上階の建物ユニットの断面コ字形長尺体の床梁の下側フランジとをボルトナットで接続するものである。
【０００７】
【特許文献１】
特開平４−１７４１４７号公報
【特許文献２】
特公昭６１−４２０６１号公報
【特許文献３】
特公平６−１５７８５号公報
【０００８】
【発明が解決しようとする課題】
一般に、ユニット建物に組み立てられる建物ユニットは、現場施工期間を短くするために、特許文献２に記載あるように、床面材や天井面材を工場で取り付けて、現場施工工数を少なくすることが多い。
しかし、このように床面材や天井面材を工場で取り付けていると、床面材と天井面材の間にある空間は塞がれるので、床面材と天井面材との間にあるもの（特許文献１では建物ユニットの下方や上方に設けられている溝型鋼）を、また、特許文献３記載のユニット建物では、床梁や天井梁を接続することができなくなる。
【０００９】
従って、工場で床面材や天井面材を取り付けたときには、床面材または天井面材に貫通孔を設け、この貫通孔から手を差し入れて床梁や天井梁を接続していた。
この接続作業を更に詳細に説明すると、ボルトとナットが空周りしないように、両方の手にそれぞれラチェット付きスパナやモンキーレンチやトルクレンチ等の回転具を持ち、貫通孔に回転具を持った両手を入れ、床面材と天井面材との間の狭い場所で、一方の回転具でボルト・ナットのどちから一方を固定して、他方の回転具でボルト・ナットの他方を回転させて巻き締めていた。
【００１０】
しかし、ユニット建物では、通常、現場施工工数を少なくするために、この貫通孔を、例えば１辺が４０ｃｍの正方形のように、できるだけ小さくしているが、この小さい貫通孔から手を入れ、床面材と天井面材の間の狭い場所でボルト・ナットを巻き締める作業は困難である。特に、天井梁のフランジと床梁のフランジを巻き締めるときのように、水平方向に巻き締める作業は困難である。
更に、ボルトが高力ボルトのように、強く巻き締める必要がある場合には、特に困難である。
【００１１】
このように、狭い場所でのボルト・ナットを巻き締める作業は、ユニット建物の施工だけにかぎらず、その他の場合、例えば、その他の建物においても、発生するが、この場合でも、施工が困難である。
そこで、この発明の目的は、狭い場所でも、ボルト・ナットを巻き締めることのできるボルト回転止め治具と、このボルト回転止め治具を使用してボルトを巻き締めるボルトの締付方法及び建物の施工方法を提供することである。
【００１２】
【課題を解決するための手段】
本発明は、上記目的を達成するためになしたものであって、請求項１に記載の発明は、ボルト固定部材と係止部材と駆動部材とからなるボルト回転止め治具であって、前記ボルト固定部材には、先端部にボルトの頭またはナットを固定する固定部が設けられ、前記係止部材には、前部に係止部が設けられ、この係止部材がボルト固定部材に前後方向に移動可能に取り付けられ、前記駆動部材は、係止部材をボルト固定部材の前後方向に移動させるものであって、接続する板体に取り付けられたボルトの頭またはナットにボルト固定部材の固定部を取り付け、駆動部材で係止部材をボルト固定部材の先端方向又はその逆方向に移動させたときに係止部材の係止部が接続する板体に係止されて、係止部材が落下せず、且つ、ボルトの頭またはナットが回転不能に固定される構造になされているものである。
【００１３】
この請求項１に記載の発明におけるボルトの頭またはナットを固定する固定部とは、ボルトの頭またはナットが空回りしないように固定するものであって、かかる固定部としては、種々な構造がある。例えば、略平行な２本の棒状体であって、この２本の棒状体の間にボルトの頭またはナットを挟んで固定する構造でもよいし、ボルトの頭またはナットに嵌合するボルトの頭またはナットと略同じ形状の通孔でもよいし、ラチェットのように、周縁部にボルトの頭またはナットの角部が嵌合する凹凸が設けられた通孔でもよいが、請求項２記載の発明のように、略同じ形状の通孔や周縁部に凹凸を設けた通孔のようなボルトの頭またはナットに嵌合する通孔が好ましい。
【００１４】
また、この請求項１記載の発明では、駆動部材が、係止部材をボルト固定部材の先端方向に移動させるものであり、この駆動部材で係止部材をボルト固定部材の先端方向に移動させたときに係止部材が接続する板体に係止されて、係止部材が落下せず、且つ、ボルトの頭またはナットが回転不能に固定される構造になっているが、かかる駆動部材と係止部材の構造としては種々なものがある。例えば、係止部材とボルト固定部材との間にスプリングバネを設けると同時に、係止部材とボルト固定部材とに引っ掛かりを設け、スプリングバネを変形させながら係止部材をボルト固定部材の先端方向に移動させ、係止部材をボルト固定部材に引っ掛けて、スプリングパネで係止部材を板体の縁部に押え付け、ボルト固定部材に設けられている係止部を接続する板体に係止して、係止部材が落下せず、且つ、ボルトの頭またはナットが回転不能に固定する構造にしてもよい。なお、この際の駆動部材はスプリングバネである。
【００１５】
しかし、請求項２記載のように、ボルト固定部材の棒状部を係止部材の筒部の中にボルト固定部材の前後方向に移動可能に挿入し、駆動部材本体をボルト固定部材をネジ孔に螺入出自在に螺合していて、ボルト固定部材の固定部でボルトの頭またはナットを固定し、駆動部材本体をネジ孔に螺入してボルト固定部材の先端方向に移動させたときに、この駆動部材本体の先端が係止部材の押さえ部を押し、押された係止部材の係止部である係止爪が接続する板体に係止する構造にすると、簡単な構造で安価に製造できるので好ましい。
【００１６】
即ち、請求項２記載の発明は、ボルト固定部材と係止部材と駆動部材とからなるボルト回転止め治具であって、前記ボルト固定部材は、棒状部と、この棒状部の先端部に設けられた固定部と、棒状部の後部に設けられたネジ孔とからなり、この固定部は、ボルトの頭またはナットに嵌合する多角形の通孔であり、前記係止部材は、筒部と、この筒部の前部に設けられた係止爪と、筒部の後部に設けられた押さえ部とからなり、前記駆動部材は、外周面にボルト固定部材のネジ孔に螺合する雄ネジを有する棒状の駆動部材本体と、この駆動部材本体の後部に設けられたハンドルとからなり、ボルト固定部材の棒状部が係止部材の筒部の中にボルト固定部材の前後方向に移動可能に挿入され、駆動部材本体がボルト固定部材のネジ孔に螺入出自在に螺合されていて、接続する板体に取り付けられたボルトの頭またはナットにボルト固定部材の固定部を取り付け、ハンドルを回転させて駆動部材本体をボルト固定部材の先端方向に移動させたときに、この駆動部材本体の先端が係止部材の押さえ部を押し、押された係止部材の係止爪が接続する板体に係止されて、係止部材が落下せず、且つ、ボルトの頭またはナットが回転不能に固定される構造になされているものである。
【００１７】
請求項３記載の発明は、通孔を有する複数枚の接続する板体を通孔が連通する状態に重合し、この複数枚の板体の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を板体に係止し、反対側のナットまたはボルトの頭を回転具で回転させてボルトを巻き締めるボルトの締付方法を特徴とするものである。
【００１８】
請求項４記載の発明は、床面材と天井面材が取り付けられた建物ユニットを上下に据え付け、上階の建物ユニットの床梁と下階の建物ユニットの天井梁とを連結する建物の施工方法であって、前記建物ユニットの上階の床梁と下階の天井梁には、据え付けたときに対峙する位置に通孔が設けられ、この通孔近傍の床面材または天井面材には、貫通孔が設けられていて、下階の建物ユニットの上に上階の建物ユニットを据え付け、床面材または天井面材の貫通孔からボルトとナットを挿入して床梁と天井梁の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を床梁または天井梁の縁部に係止し、反対側のナットまたはボルトの頭を回転具で回転させてボルトを巻き締めるものである。
【００１９】
（作用）
請求項１記載の発明では、ボルト固定部材と係止部材と駆動部材とからなるボルト回転止め治具であって、前記ボルト固定部材には、先端部にボルトの頭またはナットを固定する固定部が設けられ、前記係止部材には、前部に係止部が設けられ、この係止部材がボルト固定部材に前後方向に移動可能に取り付けられ、前記駆動部材は、係止部材をボルト固定部材の前後方向に移動させるものであって、接続する板体に取り付けられたボルトの頭またはナットにボルト固定部材の固定部を取り付け、駆動部材で係止部材をボルト固定部材の先端方向又はその逆方向に移動させたときに係止部材の係止部が接続する板体に係止されて、係止部材が落下せず、且つ、ボルトの頭またはナットが回転不能に固定される構造になされているので、このボルト回転止め治具を次に示すように使用することで、狭い場所でもボルト・ナットを簡単に巻き締めることができる。
【００２０】
即ち、ボルト・ナットで接続しようとする板体に通孔を設け、この通孔を有する複数枚の板体を、この通孔が連通するように、合わせる。
そして、この接続する板体の通孔にボルトの軸部を貫通させ、この貫通したボルトの軸部にナットを螺入し、このボルトの頭またはナットに固定部を取り付ける。
【００２１】
次に、駆動部材をボルト固定部材の先端方向又はその逆方向に移動させ、係止部材の係止部を接続する板体に係止させる。
すると、駆動部材は、係止部材をボルト固定部材の前後方向に移動させるものであり、接続する板体に取り付けられたボルトの頭またはナットにボルト固定部材の固定部を取り付け、駆動部材で係止部材をボルト固定部材の先端方向又はその逆方向に移動させたときに係止部材の係止部が接続する板体に係止されて、係止部材が落下せず、且つ、ボルトの頭またはナットが回転不能に固定される構造になされているので、ボルトの頭またはナットに固定部を取り付け、駆動部材で係止部材をボルト固定部材の先端方向又はその逆方向に移動させ、係止部材の係止部を接続する板体に係止させると、係止部材が落下せず、且つ、ボルトの頭またはナットが回転不能に固定される。
【００２２】
従って、手を放しても係止部材、即ち、ボルト回転止め治具が落下しない。
次に、反対側のナットまたはボルトの頭をラチェットやトルクレンチ等の回転具で回転させてボルトを巻き締める。
すると、ボルトの頭またはナットがボルト固定部材の固定部で回転不能に固定されているので、反対側のナットまたはボルトの頭を回転具で回転しても、ボルトやナットが空回りすることがない。
また、ボルト回転止め治具が落下しないので、ボルト回転止め治具を持つ必要がなく、回転具でボルト・ナットを簡単に強固に巻き締めることができる。
従って、狭い場所でも簡単に強固に巻き締めることができる。
【００２３】
請求項２記載の発明では、ボルト固定部材と係止部材と駆動部材とからなるボルト回転止め治具であって、前記ボルト固定部材は、棒状部と、この棒状部の先端部に設けられた固定部と、棒状部の後部に設けられたネジ孔とからなり、この固定部は、ボルトの頭またはナットに嵌合する多角形の通孔であり、前記係止部材は、筒部と、この筒部の前部に設けられた係止爪と、筒部の後部に設けられた押さえ部とからなり、前記駆動部材は、外周面にボルト固定部材のネジ孔に螺合する雄ネジを有する棒状の駆動部材本体と、この駆動部材本体の後部に設けられたハンドルとからなり、ボルト固定部材の棒状部が係止部材の筒部の中にボルト固定部材の前後方向に移動可能に挿入され、駆動部材本体がボルト固定部材のネジ孔に螺入出自在に螺合されていて、接続する板材に取り付けられたボルトの頭またはナットにボルト固定部材の固定部を取り付け、ハンドルを回転させて駆動部材本体をボルト固定部材の先端方向に移動させたときに、この駆動部材本体の先端が係止部材の押さえ部を押し、押された係止部材の係止爪が接続する板体に係止されて、係止部材が落下せず、且つ、ボルトの頭またはナットが回転不能に固定される構造になされているので、このボルト回転止め治具は簡単な構造で製造し易く、しかも、このボルト回転止め治具を次に示すように使用すると、狭い場所でもボルト・ナットを簡単に強固に巻き締めることができる。
【００２４】
即ち、ボルト・ナットで接続する複数枚の板体に通孔を設け、この複数枚の板体を、この通孔が連通するように、重合する。
そして、この連通した通孔にボルトの軸部を貫通させ、この貫通したボルトの軸部にナットを螺入する。
次に、このボルトの頭またはナットをボルト固定部材の通孔である固定部の中に挿入すると同時に、この係止部材の後部にある押さえ部を板体の縁に対峙させる。
【００２５】
すると、固定部は、ボルト固定部材の棒状部の先端に設けられているし、係止部材は、筒部と、この筒部の前部に設けられた係止爪と、筒体の後部に設けられた押さえ部とからなり、ボルト固定部材の棒状部が係止部材の筒部の中にボルト固定部材の前後方向に移動可能に挿入されているので、係止部材をボルト固定部材の前後方向に移動させて、固定部から係止部材の係止部までの距離を板体の通孔に貫通したボルトの頭またはナットから板体の縁までの距離より若干長くすることにより、一方の固定部の中にボルトの頭またはナットを挿入して、他方の係止部材の係止部を板体の縁部に対峙させることができる。
【００２６】
そして、固定部は、ボルトの頭またはナットに嵌合する多角形の通孔であるので、このボルトの頭またはナットをこの通孔である固定部の中に挿入して取り付けると、後述の駆動部材本体の先端が係止部材の押さえ部を押し、その結果、係止爪が板体に係止される際に、係止部材の係止部が板体に衝突し、この反動で、固定部が反対方向に押し出されてボルトの頭またはナットがボルト回転止め治具から離れる方向に力が加わるが、固定部である通孔に挿入されているボルトの頭またはナットは、通孔の縁が邪魔をして、通孔から外れない。
【００２７】
次に、駆動部材のハンドルを回して駆動部材本体をボルト固定部材の先端方向に移動させて、係止部材の係止爪を接続する板体の縁部に係止する。
すると、駆動部材は、外周面にボルト固定部材のネジ孔に螺合する雄ネジを有する棒状の駆動部材本体と、この駆動部材本体の後部に設けられたハンドルとからなり、ボルト固定部材の棒状部が係止部材の筒部の中にボルト固定部材の前後方向に移動可能に挿入され、駆動部材本体がボルト固定部材のネジ孔に螺入出自在に螺合されていて、接続する板体に取り付けられたボルトの頭またはナットにボルト固定部材の固定部を取り付け、ハンドルを回転させて駆動部材本体をボルト固定部材の先端方向に移動させたときに、この駆動部材本体の先端が係止部材の押さえ部を押し、押された係止部材の係止爪が接続する板体に係止されて、係止部材が落下せず、且つ、ボルトの頭またはナットが回転不能に固定される構造になされているので、ハンドルを回転させると、駆動部材本体が回転し、この駆動部材本体の外周面に設けられた雄ネジが本体の駆動部に設けられたネジ孔に沿って回転して、駆動部材がボルト固定部材の先端方向に移動し、この駆動部材本体の先端が係止部材の押さえ部材を押し、その結果、係止部材がボルト固定部材の先端方向に移動し、係止部材の筒部の前部に設けられている係止爪が板体に衝突し、この板体に係止部材の係止爪が係止される。
【００２８】
すると、係止部材が落下せず、且つ、ボルトの頭またはナットが回転不能に固定される。
従って、手を放しても係止部材、即ち、ボルト回転止め治具が落下しない。
次に、反対側のナットまたはボルトの頭をラチェットやトルクレンチ等の回転具で回転させてボルトを巻き締める。
【００２９】
すると、ボルトの頭またはナットが回転不能に固定されているので、反対側のナットまたはボルトの頭を回転具で回転させても、ボルトやナットが空回りすることがない。
また、ボルト回転止め治具が落下しないので、ボルト回転止め治具を持つ必要がなく、回転具でボルト・ナットを簡単に強固に巻き締めることができる。
従って、狭い場所でも簡単に強固に巻き締めることができる。
【００３０】
請求項３記載の発明では、通孔を有する複数枚の接続する板体を通孔が連通する状態に重合し、この複数枚の板体の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を板体に係止し、反対側のナットまたはボルトの頭を回転具で回転させてボルトを巻き締めるボルトの締付方法であるので、請求項１または請求項２記載のボルト回転止め治具の項で説明したように、ボルトの頭またはナットにボルト回転止め治具の固定部を取り付け、駆動部材で係止部材をボルト固定部材の先端方向又はその逆方向に移動させて、係止部材の係止部または係止爪を接続する板体に係止させると、係止部材が落下せず、且つ、ボルト頭またはナットが回転不能に固定される。
【００３１】
次に、反対側のナットまたはボルトの頭を回転具で回転させて巻き締めても、ボルトナットが空回りすることない。
また、係止部材、即ち、ボルト回転止め治具が落下しないので、回転具でボルト・ナットを簡単に強固に巻き締めることができる。
従って、狭い場所でも簡単に強固に巻き締めることができる。
【００３２】
請求項４記載の発明では、床面材と天井面材が取り付けられた建物ユニットを上下に据え付け、上階の建物ユニットの床梁と下階の建物ユニットの天井梁とを連結する建物の施工方法であって、前記建物ユニットの上階の床梁と下階の天井梁には、据え付けたときに対峙する位置に通孔が設けられ、この通孔近傍の床面材または天井面材には、貫通孔が設けられていて、下階の建物ユニットの上に上階の建物ユニットを据え付け、床面材または天井面材の貫通孔からボルトとナットを挿入して床梁と天井梁の通孔にボルトの軸部を貫通させ、この貫通したボルトの軸部にナットを螺入し、このボルトの頭またはナットに請求項１または２記載のボルト回転止め治材の固定部を取り付け、駆動部材で係止部材をボルト固定部材の先端方向又はその逆方向に移動させて、係止部材の係止部または係止爪を床梁または天井梁の縁部に係止し、反対側のナットまたはボルトの頭を回転具で回転させてボルトを巻き締めるので、次に示すように、床面材または天井面材に設けられている貫通孔が、例えば、１辺が４０ｃｍの正方形のように小さく、しかも、天井面材と床面材の間の狭い場所でも、この貫通孔から回転具を持った手を差し入れて、ボルト・ナットを簡単に強固に巻き締めることができる。
【００３３】
即ち、下階の建物ユニットの上に上階の建物ユニットを据え付ける。
すると、建物ユニットの上階の床梁と下階の天井梁には、据え付けたときに対峙する位置にそれぞれ通孔が設けられているので、下階の建物ユニットの上に上階の建物ユニットを据え付けると、床梁の通孔と天井梁の通孔が連通する。
【００３４】
次に、床面材または天井面材に設けられている貫通孔からボルトとナットを入れて、この連通している通孔にボルトの軸部を貫通させ、この貫通したボルトの軸部にナットを螺入する。
すると、通孔近傍の床面材または天井面材に貫通孔が設けられているので、床面材または天井面材に設けられている貫通孔からボルトとナットを入れることができるし、連通している通孔にボルトの軸部を貫通させ、この貫通したボルトの軸部にナットを螺入することができる。この作業は、力を必要とせず、小さい貫通孔であっても、この貫通孔から手を差し入れて簡単に行うことができる。
【００３５】
次に、このボルトの頭またはナットに請求項１または２記載のボルト回転止め治具の固定部を取り付け、駆動部材をボルト固定部材の先端方向に移動させて、係止部材の係止部または係止爪を床梁や天井梁の縁部に係止させる。
すると、請求項１または２の発明の作用の項で説明したように、係止部材、即ち、ボルト回転止め治具が落下せず、且つ、ボルトの頭またはナットが回転不能に固定される。従って、手を放してもボルト回転止め治具が板体から外れることがない。
【００３６】
次に、反対側のナットまたはボルトの頭をラチェットやトルクレンチ等の回転具で回転させてボルトを巻き締める。
すると、ボルトの頭またはナットが回転不能に固定されているので、反対側のナットまたはボルトの頭を回転具で回転しても、ボルトやナットが空回りすることがない。
【００３７】
また、ボルト回転止め治具が落下しないので、ボルト回転止め治具を持つ必要がなく、回転具でボルトの頭またはナットを簡単に強固に巻き締めることができる。
従って、天井面材と床面材の間の狭い場所で、しかも、床面材または天井面材に設けられている貫通孔が、例えば、１辺が４０ｃｍの正方形であるように小さくても、ボルト・ナットを簡単に強固に巻き締めることができる。
【００３８】
【発明の実施の形態】
以下、本発明の実施の形態を実施例で説明する。
（実施例１）
図１〜図５は本発明をユニット建物の施工方法に適用した一実施例を示すもので、図１はユニット建物を示す斜視図、図２は建物ユニットを示す一部切欠斜視図、図３は１階の天井梁の上側フランジの通孔と２階の床梁の下側フランジの通孔にボルトを挿入し、ナットを螺入している状態を示す斜視図、図４はボルト回転止め治具でボルトの頭を固定している状態を示す正面図、図５はボルト回転止め治具を示すもので、（イ）は正面図、（ロ）は平面図である。
【００３９】
図１〜図５において、Ｕはユニット建物であり、このユニット建物Ｕは、図１に示すように、基礎９の上に９個の建物ユニット１が据え付けられて１階が形成され、この１階の建物ユニット１の上に９個の建物ユニット１が据え付けられて２階が形成され、この２階の建物ユニット１の上に屋根パネル２が取り付けられたものである。
【００４０】
このユニット建物Ｕを構成する建物ユニット１は、図２に示すように、矩形状の四隅に立設した４本の鋼製四角筒状体の柱１１と、この４本の柱１１の下端部を矩形状の辺に沿って連結した４本の鋼製断面コ字形長尺体の床梁１２と、この４本の柱１１の上端部を矩形状の辺に沿って連結した４本の鋼製断面コ字形長尺体の天井梁１３とからなる骨格を有する。
【００４１】
そして、建物ユニット１は、この骨格の相対する床梁１２に鋼製四角筒状体の床小梁１４が差し渡され、この床小梁１４の上に木製の床根太１５が取り付けられ、この床根太１５の上にパーチクルボードの床面材１６が取り付けられて床が形成され、相対する天井梁１３に木製の天井野縁１７が差し渡されて取り付けられ、この天井野縁１７の下面に天井面材１８が取り付けられて天井が形成されたものである。
【００４２】
また、外壁を設ける場所には、床梁１２と天井梁１３とに間柱１９が差し渡され、この間柱１９に図示しない外壁パネルと内壁パネルが取り付けられ、この外壁パネルと内壁パネルの間にグラスウールの断熱材が取り付けられて外壁が形成されている。
そして、２階の建物ユニット１の四隅の床面材１、即ち、柱１１近傍の床面材１６には、１辺の長さが略４０ｃｍの略正方形の貫通孔３が設けられている。
【００４３】
なお、柱１１に床梁１２を取り付ける際には、床梁１２にジョイントピース１２９を取り付け、このジョイントピース１２９を介して床梁１２が柱１１に取り付けていて、柱１１近傍では、床梁１２とジョイントビース１２９とが重なっている。
しかし、このジョイントピース１２９は床梁１２の一部であるので、この実施例では、このジョイントピース１２９を含めて床梁１２とする。
【００４４】
また、柱１１に天井梁１３を取り付ける際には、天井梁１３にジョイントピース１３９を取り付け、このジョイントピース１２３を介して天井梁１３が柱１１に取り付けられていて、柱１１近傍では、天井梁１３とジョイントビース１３９とが重なっている。
しかし、このジョイントピース１３９は天井梁１３の一部であるので、この実施例では、このジョイントピース１３９を含めて天井梁１３とする。
【００４５】
４は、ボルトであり、このボルト４は、図４に示すように、ボルトの頭４１と軸部４２とからなるＭ１６×６５Ｌの高力ボルトである。
４５は、このボルト４の軸部４２に螺合するナットである。
４６は環状の座金である。
４７は大きさが９０ｍｍ×３２ｍｍで厚みが１６ｍｍの金属製の角座金プレートであり、ボルト・ナットを強く巻き締めたときに、ボルト・ナットにかかる力を角座金プレート４７で拡散して床梁１２や天井梁１３が変形しないようにするものである。
【００４６】
４８は厚みが略１ｍｍの金属製のスペーサーであり、このスペーサー４８は、図３に示すように、床梁１２と天井梁１３の間に挿入されて、この隙間を埋めてボルト・ナットの締め付けを十分に行うことができるようにするものである。
なお、床梁１２と天井梁１３の間の隙間が１ｍｍ以下の場合には、ボルト・ナットを巻き締めたときに、床梁１２と天井梁１３が密着し、十分に巻き締めることができるので挿入する必要がないし、床梁１２と天井梁１３との間の隙間が数ｍｍあり、スペーサーが複数枚挿入できる場合には、複数枚挿入する。
【００４７】
また、この角座金プレート４７やスペーサー４８には、略中央にボルト４の軸部４２が通過する大きさの通孔が設けられている。
Ｍはボルト回転止め治具であり、このボルト回転止め治具Ｍは、図５に示すように、ボルト固定部材５と、係止部材６と駆動部材７とからなる。
ボルト固定部材５は、棒状部５１と、この棒状部５２の先端部に設けられた固定部５１と、棒状部５２の後部に設けられたネジ孔５３とからなる。そして、この固定部５１は、ボルトの頭４２またはナット４５に嵌合する多角形の通孔である。
【００４８】
なお、この棒状部５２とネジ孔５３との間には湾曲部５５があって、ボルトの頭やナットに固定部５１を取り付けたときに棒状部５２が床梁１２や天井梁１３に沿うようになっている。
係止部材６は、筒部６１と、この筒部６１の前部に設けられた係止爪６２と、筒体６１の後部に設けられた押さえ部６３とからなる。
この筒部６１は金属板をＵ字形に曲げた本体６１１と、この本体６１１の開口部を塞ぐ蓋体６１２とからなり、この本体６１１と蓋体６１２とで筒が形成されている。そして、係止爪６２は本体６１１の先端が延長され略直角に折り曲げられて立設された板体であり、押さえ部６３は本体６１１の後端が延長され略直角に折り曲げられて立設された板体である。
【００４９】
駆動部材７は、外周面にボルト固定部材５のネジ孔５３に螺合する雄ネジ７１１を有する棒状の駆動部材本体７１と、この駆動部材本体７１の後部に設けられたハンドル７２とからなる。
そして、ボルト回転止め治具Ｍは、ボルト固定部材５の棒状部５２が係止部材６の筒部６１の中に挿入され、駆動部材本体７１がボルト固定部材５のネジ孔５２に螺入出自在に螺合されたものである。
【００５０】
そして、ボルト固定部材５の固定部５１でボルトの頭４２またはナット４５を取り付け、ハンドル７２を回転させて駆動部材本体７１をネジ孔５３に螺入すると、駆動部材本体７１がボルト固定部材５の先端方向、即ち、駆動部材本体７１を接続する天井梁１３や床梁１２の方向に移動し、この駆動部材本体７１の先端が係止部材６の押さえ部６３を押し、押された押さえ部６３と一体になっている係止部材６の係止爪６２が天井梁１３や床梁１２に係止ようになっている。その結果、係止部材６が落下せず、且つ、ボルトの頭またはナットが回転不能に固定される。
屋根パネル２は従来の折版屋根と略同じであるので説明を省略する。
【００５１】
次に、このユニット建物Ｕの施工方法および作用について説明する。
工場で、図２に示す建物ユニット１や屋根パネル２を製造する。
そして、この建物ユニット１や屋根パネル２を施工現場に運搬する。
施工現場では、予め設けられている基礎９の上に９個の建物ユニット１を据え付けて１階を形成し、この１階の建物ユニット１の上に９個の建物ユニット１を据え付けて２階を形成し、この２階の建物ユニット１の上に屋根パネル９を取り付け、１階と２階の建物ユニットの対峙する床梁１２同士や天井梁１２同士のウエッブをボルト・ナットで接続し、１階の天井梁１３の上側フランジと、この上に対峙する床梁１２の下側フランジを接続し、その他種々な仕上げを行うと、図１に示すユニット建物Ｕが完成する。
【００５２】
なお、１階の建物ユニット１の柱１１の上端面には、図３に示すようなジョイントピン９５が立設され、２階の建物ユニット１の柱１１の下端面には通孔が設けられていて、この１階の建物ユニット１の柱１１のジョイントピン９５を２階の建物ユニット１の柱１１の通孔に挿入しながら、１階の建物ユニット１の上に２階の建物ユニットを据え付ける。
このようにすることにより、２階の建物ユニット１が１階の建物ユニット１の所定位置に取り付けられるのである。
【００５３】
次に、この１階の建物ユニット１の天井梁１３の上側フランジ１３１と２階の建物ユニット１の床梁１２の下側フランジ１２１を連結する施工方法について説明する。
工場で１階の建物ユニット１を製造する際に、天井梁１３の矩形状の四隅近傍の上側フランジ１３１には通孔１３２を設けておく。
【００５４】
また、２階の建物ユニット１の床梁の下側フランジ１２１には、１階の建物ユニット１の上に２階の建物ユニット１を据え付けたときに、１階の建物ユニット１の天井梁１３の通孔１３２に対峙する位置に、通孔１２２を設けておく。
また、矩形状の四隅の通孔１２２、１３２の近傍にある床面材１６には、貫通孔３を設けておく。
【００５５】
施工現場で、１階の建物ユニット１の上に２階の建物ユニット１を据え付けると、２階の建物ユニット１の床梁の下側フランジ１２１と１階の建物ユニット１の天井梁の上側フランジ１３１には、１階の建物ユニット１の上に２階の建物ユニット１を据え付けたときに対峙する位置に、通孔１２２が設けられているので、上記のように据え付けると、床梁１２の通孔１２２と天井梁１３の通孔１３２が連通する。
そして、図３に示すように、１階の天井梁１３の上側フランジ１３１と２階の下側フランジ１２１の間にスペーサー４８を挿入して、この間の隙間を塞ぐ。
この際、スペーサーが挿入できない場合には、挿入しないし、スペーサー４８が１枚で不足する場合には、複数枚挿入する。
【００５６】
次に、ボルト４の軸部４２に座金４６や角座金プレート４７を通したボルト４を貫通孔３から入れて、ボルト４の軸部４２を１階の天井梁１３の通孔１３２、スペーサー４８、２階の床梁１２の通孔１２２の順に通す。
次に、貫通孔３から角座金プレート４７、座金４６、ナット４５を入れ、この通されたボルト４の軸部４２に、角座金プレート４７や座金４６の順に通し、ナット４５を螺入する。
【００５７】
すると、通孔１２２、１３２近傍の床面材１６には貫通孔３が設けられいるので、床面材１６に設けられている貫通孔３からボルト４とナット４５等を入れたり、連通している通孔１２２、１３２にボルト４の軸部４２を通し、この通されたボルト４の軸部４２にナット４５を螺入する作業は、力を必要とない。従って、小さい貫通孔３でも、この貫通孔３から手を差し入れて簡単に行うことができる。
次に、貫通孔３からボルト回転止め治具Ｍを入れて、係止部材６の係止爪６２を床梁１２の縁に対峙させた状態で、このボルト回転止め治具Ｍのボルト固定部材５の固定部５１をボルト４の頭４１に取り付ける。
【００５８】
すると、ボルト固定部材５の棒状部５２の先端に設けられている固定部５１は、ボルト４の頭４１やナット４５に嵌合する多角形の通孔であるし、係止部材６は、筒部６１と、この筒部６１の前部に設けられた係止爪６２と、筒部６１の後部に設けられた押さえ部６３とからなり、ボルト固定部材５の棒状部５２が係止部材６の筒部６１の中にボルト固定部材５の前後方向に移動可能に挿入されているので、係止部材６を移動させて、固定部５１から係止部材６の係止爪６２までの距離を床梁１２の通孔１２２に貫通したボルト４の頭４１から床梁１２の縁までの距離より若干長くすることにより、一方の固定部５１にボルト４の頭４１を取り付け、他方の係止爪６２を板体の縁部に対峙させることができる。
【００５９】
このボルト４の頭４２をこの通孔である固定部５１を取り付けると、固定部５１が通孔であるので、後述の駆動部材本体７１の先端が係止部材６の押さえ部６３を押し、その結果、係止爪６２が床梁１２に係止される際に、係止部材６が床梁１２に衝突し、この反動で、固定部５１が押し戻されてボルト４の頭４１がボルト回転止め治具から離れる方向に力がかかるが、通孔である固定部５１に挿入されているボルト４の頭４１は通孔の縁に引っ掛かって固定部５１から外れないようになる。
【００６０】
次に、駆動部材７のハンドル７２を回して床梁１２方向に駆動部材７を移動させて、係止部材６を床梁１２の縁部に係止させる。
すると、駆動部材７は、外周面にボルト固定部材５のネジ孔５３に螺合する雄ネジを有する棒状の駆動部材本体７１と、この駆動部材本体７１の後部に設けられたハンドル７２とからなり、駆動部材本体７１がボルト固定部材５のネジ孔５３に螺入出自在に螺合されていて、ボルト固定部材５の固定部５１をボルト４の頭４１に取り付け、ハンドル７２を回転させて駆動部材本体７１をネジ孔５３に螺入し、ボルト固定部材５の先端方向に移動させたときに、この駆動部材本体７１の先端が係止部材６の押さえ部６３を押し、押された係止部材６の先端に設けられている係止爪６２が床梁１２や天井梁１３に係止して、係止部材６が落下せず、且つ、ボルトの頭４１が回転不能に固定される構造になされているから、ハンドル７２を回転させて、係止爪６２を床梁１２や天井梁１３に係止させると、係止部材６、即ち、ボルト回転止め治具Ｍが落下せず、且つ、ボルトの頭４１が回転不能に固定される。
【００６１】
従って、手を放してもボルト回転止め治具Ｍが床梁１２や天井梁１３から外れない。
次に、反対側のナットまたはボルト４の頭４２に回転具である２８０Ｎ・ｍのトルクレンチを取り付け、このトルクレンチの把手を貫通孔３から出し、この把手を持って、床面材１６の上で回転させてボルト４を巻き締める。
すると、ボルト４の頭４１が回転不能に固定されているので、反対側のナット４５をトルクレンチで回転させても、ボルトやナットが空回りすることがない。
【００６２】
また、手を放してもボルト回転止め治具Ｍが落下しないので、このボルト回転止め治具Ｍを持つ必要がなく、狭い場所でも、小さい床面材１６に設けられた貫通孔３を通過させたトルクレンチの把手を持ってボルト４を簡単に強固に巻き締めることができる。
ボルト・ナットを巻き締めた後に、回転具を貫通孔３から引き出し、ハンドル７２を反対方向に回転させて駆動部材本体７１を後退させて、ボルト回転止め治具Ｍを外し、貫通孔３から取り出し、この貫通孔３を床面材で塞ぐと、床梁１２と天井梁１３の接続が終了する。
【００６３】
（実施例２）
図６は本発明の他の実施例を示すもので、ボルト回転止め治具Ｍａを示す正面図である。
【００６４】
この図６に示す実施例２のボルト回転止め治具Ｍａを図１〜図５に示す実施例１と比較すると、ボルト固定部材５ａの湾曲部５５ａの高さと、固定部５１ａの向きが若干異なる。
即ち、このボルト回転止め治具Ｍａは、床梁のボルトの向きと位置が、丁度、固定部５１ａをボルトの頭に挿入したときに、係止具６ａの係止爪６２ａが床梁に沿う場合に使用するものである。
その他の構造、使用方法及び作用は実施例１と略同じであるので、説明を省略する。
【００６５】
以上、本発明を実施例で説明したが、この実施例を本発明の要旨を逸脱しない範囲で変更されていてもよい。
例えば、実施例では係止爪を先端方向に向けているが、ボルト固定部材を固定部より先端方向に延設し、係止爪を固定部を越えた場所に設け、且つ、この係止爪を後端方向に向けさせてもよい。この際には、駆動部材で係止部材をボルト固定部材の後端方向に移動させて、係止部材が落下せず、且つ、ボルトの頭またはナットを回転不能に固定すればよい。
【００６６】
【発明の効果】
以上説明してきたように、請求項１に記載の発明は、ボルト固定部材と係止部材と駆動部材とからなるボルト回転止め治具であって、前記ボルト固定部材には、先端部にボルトの頭またはナットを固定する固定部が設けられ、前記係止部材には、前部に係止部が設けられ、この係止部材がボルト固定部材の前後方向に移動可能に取り付けられ、前記駆動部材は、係止部材をボルト固定部材の前後方向に移動させるものであって、接続する板体に取り付けられたボルトの頭またはナットにボルト固定部材の固定部を取り付け、駆動部材で係止部材をボルト固定部材の先端方向又はその逆方向に移動させたときに係止部材の係止部が接続する板体に係止されて、係止部材が落下せず、且つ、ボルトの頭またはナットが回転不能に固定される構造になされているから、このボルト回転止め治具を使用して、狭い場所でも簡単に強固にボルト・ナットを巻き締めることができる。
【００６７】
請求項２記載の発明は、ボルト固定部材と係止部材と駆動部材とからなるボルト回転止め治具であって、前記ボルト固定部材は、棒状部と、この棒状部の先端部に設けられた固定部と、棒状部の後部に設けられたネジ孔とからなり、この固定部は、ボルトの頭またはナットに嵌合する多角形の通孔であり、前記係止部材は、筒部と、この筒部の前部に設けられた係止爪と、筒部の後部に設けられた押さえ部とからなり、前記駆動部材は、外周面にボルト固定部材のネジ孔に螺合する雄ネジを有する棒状の駆動部材本体と、この駆動部材本体の後部に設けられたハンドルとからなり、ボルト固定部材の棒状部が係止部材の筒部の中にボルト固定部材の前後方向に移動可能に挿入され、駆動部材本体がボルト固定部材のネジ孔に螺入出自在に螺合されていて、接続する板体に取り付けられたボルトの頭またはナットにボルト固定部材の固定部を取り付け、ハンドルを回転させて駆動部材本体をボルト固定部材の先端方向に移動させたときに、この駆動部材本体の先端が係止部材の押さえ部を押し、押された係止部材の係止爪が接続する板体に係止されて、係止部材が落下せず、且つ、ボルトの頭またはナットが回転不能に固定される構造になされているから、このボルト回転止め治具は簡単な構造で製造し易く、しかも、このボルト回転止め治具を使用して、狭い場所でもボルト・ナットを簡単に強固に巻き締めることができる。
【００６８】
請求項３記載の発明は、通孔を有する複数枚の接続する板体を通孔が連通する状態に重合し、この複数枚の板体の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を板体に係止し、反対側のナットまたはボルトの頭を回転具で回転させてボルトを巻き締めるボルトの締付方法であるから、請求項１または請求項２記載のボルト回転止め治具の項で説明したように、ボルト固定部材の固定部を接続する板体に取り付けられたボルトの頭またはナットに取り付け、係止部材の係止部または係止爪を接続する板体に係止させると、係止部材、即ち、ボルト回転止め治具が落下せず、且つ、ボルトの頭またはナットが回転不能の状態に固定される。次に、反対側のナットまたはボルトの頭を回転具で回転すると、ボルトやナットが空回りすることがなく、ボルト・ナットを簡単に強固に巻き締めることができる。即ち、狭い場所でも巻き締めすることができる。
【００６９】
請求項４記載の発明は、床面材と天井面材が取り付けられた建物ユニットを上下に据え付け、上階の建物ユニットの床梁と下階の建物ユニットの天井梁とを連結する建物の施工方法であって、前記建物ユニットの上階の床梁と下階の天井梁には、据え付けたときに対峙する位置に通孔が設けられ、この通孔近傍の床面材または天井面材には、貫通孔が設けられていて、下階の建物ユニットの上に上階の建物ユニットを据え付け、床面材または天井面材の貫通孔からボルトとナットを挿入して床梁と天井梁の通孔にボルトの軸部を貫通させ、この貫通したボルトの軸部にナットを螺入し、このボルトの頭またはナットに請求項１または２記載のボルト回転止め治具の固定部を取り付け、駆動部材で係止部材をボルト固定部材の先端方向又はその逆方向に移動させて、係止部材の係止部または係止爪を床梁または天井梁の縁部に係止し、反対側のナットまたはボルトの頭を回転具で回転させてボルトを巻き締めるから、請求項１または請求項２記載のボルト回転止め治具の項で説明したように、ボルト固定部材の固定部を床梁や天井梁に取り付けられたボルトの頭またはナットに取り付け、係止部材の係止部または係止爪を床梁または天井梁に係止させると、係止部材、即ち、ボルト回転止め治具が落下せず、且つ、ボルトの頭またはナットが回転不能の状態に固定される。
【００７０】
次に、反対側のナットまたはボルトの頭を回転具で回転すると、ボルトやナットが空回りすることがなく、回転具でボルト・ナットを床面材または天井面材に設けられている貫通孔から簡単に強固に巻き締めることができる。即ち、床面材または天井面材に設けられている貫通孔が、例えば、１辺の長さが４０ｃｍの正方形というように小さくても、ボルト・ナットを簡単に巻き締めすることができる。
【図面の簡単な説明】
【図１】本発明をユニット建物の施工方法に適用した一実施例を示すもので、ユニット建物を示す斜視図である。
【図２】建物ユニットを示す一部切欠斜視図である。
【図３】１階の天井梁の上側フランジの通孔と２階の床梁の下側フランジの通孔にボルトを挿入し、ナットを螺入している状態を示す斜視図である。
【図４】ボルト回転止め治具でボルトの頭を固定している状態を示す正面図である。
【図５】ボルト回転止め治具を示すもので、（イ）は正面図、（ロ）は平面図である。
【図６】本発明の他の実施例を示すもので、ボルト回転止め治具Ｍａを示す正面図である。
【符号の説明】
Ｕ                ユニット建物
Ｍ、Ｍａ          ボルト回転止め治具
１                建物ユニット
２                屋根パネル
３                床面材の貫通孔
４                ボルト
４１              ボルトの頭
４５              ナット
５、５ａ          ボルト固定部材
５１、５１ａ      固定部
５２              棒状部
５３              ネジ孔
６、６ａ          係止部材
６１              筒部
６２、６２ａ      係止爪（係止部）
７                駆動部材
７１              駆動部材本体
７２              ハンドル
【図１】
2004268174.tif 000003
【図２】
2004268174.tif 000004
【図３】
2004268174.tif 000005
【図４】
2004268174.tif 000006
【図５】
2004268174.tif 000007
【図６】
2004268174.tif 000008